(57)【特許請求の範囲】
【請求項１】
軸受けと、
前記軸受けに嵌合する軸と、
前記軸受けに対して回動する回動部材とを有し、
前記回動部材には、
前記軸を通す貫通孔と、
前記貫通孔の貫通される方向に垂直ないずれかの方向に連結用孔部とを備え、
前記連結用孔部には、前記回動部材との連結部材が挿通され、
前記連結部材における前記連結用孔部に挿通される部分は凹状とされ、前記連結用孔部に前記連結部材が挿通された状態で前記軸が前記貫通孔に挿通されると、当該凹状の部分が当該軸を回り込んだ状態になる軸受けへの部材取付機構。
【請求項２】
請求項１の回動部材がカムである、カムへの部材取付機構。
【請求項３】
表紙体に対して基端部の位置が一定でかつ回動可能であり、先端部が互いに当接可能な半リング状の第１綴じ部材及び第２綴じ部材と、
前記第１綴じ部材と連結する第１連結部材と、
前記第２綴じ部材と連結する第２連結部材と、
前記第１連結部材及び第２連結部材に対して前記表紙体とは反対側に設けられ、当該第１連結部材及び第２連結部材の少なくとも一方を回動させるカムと、
前記カムの回動軸を前記表紙体における所定位置に規制する軸受けと、
基端部が前記カムに接続される操作手段と、
前記第１の連結部材及び第２の連結部材を、前記第１綴じ部材及び前記第２綴じ部材の先端部同士が互いに離れる方向に付勢する付勢手段と、を備えた綴じ具であって、
前記カムは、
所定角度に形成されたカム面と、
当該カムの側面を貫通して他方の側面に通じるヒンジピンを通す軸孔と、
前記軸孔の延在方向と略直角の一方向に向けられ、前記操作手段の基端部が挿抜可能な操作手段用孔部と、
を備え、
前記ヒンジピンは、
前記軸受けに嵌合され、
前記操作手段には、
当該操作手段の基端部が前記操作手段用孔部に差し込まれた状態で前記ヒンジピンが前記軸孔を挿通可能で、当該差し込まれたヒンジピンと嵌合するように、前記操作手段用孔部の側壁側から他方の側壁側にかけて当該ヒンジピンを回り込む形状に凹ませた凹部が設けられている綴じ具。
【請求項４】
前記凹部は、前記ヒンジピンの長さ方向に沿って設けられ、当該ヒンジピンの形状に合わせた略半円形状に構成される請求項３に記載の綴じ具。
【請求項５】
前記第１綴じ部材及び第２綴じ部材の先端部が互いに当接した閉塞状態において、前記凹部が設けられない側が前記第１の連結部材及び第２の連結部材に近くなるように操作手段の基端部がカムに取り付けられている、請求項３又は請求項４に記載の綴じ具。
【請求項６】
表紙体に対して固定された半リング状の第１綴じ部材と、
前記表紙体に対して基端部の位置が一定でかつ回動可能であり、先端部が前記第１綴じ部材と当接可能な半リング状の第２綴じ部材と、
前記第２綴じ部材と連結する第２連結部材と、
前記第２連結部材に対して前記表紙体とは反対側に設けられたカムと、
前記カムの回動軸を前記表紙体における所定位置に規制する軸受けと、
基端部が前記カムに接続される操作手段と、を備えた綴じ具であって、
前記カムは、
所定角度に形成されたカム面と、
当該カムの側面を貫通して他方の側面に通じるヒンジピンを通す軸孔と、
前記軸孔の延在方向と略直角の一方向に向けられ、前記操作手段の基端部が挿抜可能な操作手段用孔部と、
を備え、
前記ヒンジピンは、
前記軸受けに嵌合され、
前記操作手段には、
当該操作手段の基端部が前記操作手段用孔部に差し込まれた状態で前記ヒンジピンが前記軸孔を挿通可能で、当該差し込まれたヒンジピンと嵌合するように、前記操作手段用孔部の側壁側から他方の側壁側にかけて当該ヒンジピンを回り込む形状に凹ませた凹部が設けられている綴じ具。
【発明の詳細な説明】
【技術分野】
【０００１】
この発明は、軸受けへの部材取付機構、カムへの部材取付機構、及び当該軸受けへの部材取付機構、カムへの部材取付機構を用いた書類などの綴じ具に関する。
【背景技術】
【０００２】
本願出願人は、２枚のプレートに半リング状のリング部材を設け、当該２枚のプレートを平行に組み付け、レバー操作によって２枚のプレートを回動させることで、半リング状のリング部材を合わせて書類などを綴じる綴じ具を提案している（例えば特許文献１参照）。
かかる綴じ具は、ベース本体から立ち上がったカバー部分に軸受け部を設け、軸受け部に、カムをヒンジピンを用いてヒンジ結合されており、カムにレバーの回転軸となるヒンジピンを挿入する軸孔が設けられている。
【先行技術文献】
【特許文献】
【０００３】
【特許文献１】国際公開第２００５／１０００４４
【発明の概要】
【発明が解決しようとする課題】
【０００４】
（１）レバーをカムに挿通した場合に、ヒンジピンが邪魔になり、レバーとヒンジピンとの干渉を避ける必要があった。
（２）上記（１）の場合であっても、軸受け部分は、より薄い方が好まれるという問題点があった。
【０００５】
本発明は、上記のような従来の綴じ具をさらに改良したものである。
【課題を解決するための手段】
【０００６】
本願発明は、軸受けと、軸受けに嵌合する軸と、軸受けに対して回動する回動部材とを有する。
回動部材には、軸を通す貫通孔と、貫通孔の貫通される方向に垂直ないずれかの方向に連結用孔部とを備える。
連結用孔部には、回動部材との連結部材が挿通され、連結部材における連結用孔部に挿通される部分は凹状とされ、連結用孔部に連結部材が挿通された状態で軸が貫通孔に挿通されると、当該凹状の部分が当該軸を回り込んだ状態になる軸受けへの部材取付機構である。
このため、回動部材との連結部材に軸が貫通する孔を設けた場合に比べ、軸受け部分を薄型にすることができる。
【０００７】
本願発明は、回動部材がカムであることが望ましいカムへの部材取り付け機構である。
【０００８】
本願発明は、表紙体に対して基端部の位置が一定でかつ回動可能であり、先端部が互いに当接可能な半リング状の第１綴じ部材及び第２綴じ部材と、第１綴じ部材と連結する第１連結部材と、第２綴じ部材と連結する第２連結部材と、第１連結部材及び第２連結部材に対して表紙体とは反対側に設けられ、当該第１連結部材及び第２連結部材の少なくとも一方を回動させるカムと、カムの回動軸を表紙体における所定位置に規制する軸受けと、基端部がカムに接続される操作手段と、第１の連結部材及び第２の連結部材を、第１綴じ部材及び第２綴じ部材の先端部同士が互いに離れる方向に付勢する付勢手段と、を備えた第一の綴じ具である。
【０００９】
第一の綴じ具のカムは、所定角度に形成されたカム面と、当該カムの側面を貫通して他方の側面に通じるヒンジピンを通す軸孔と、軸孔の延在方向と略直角の一方向に向けられ、操作手段の基端部が挿抜可能な操作手段用孔部と、を備える。
【００１０】
第一の綴じ具のヒンジピンは、軸受けに嵌合される。
第一の綴じ具の操作手段には、当該操作手段の基端部が操作手段用孔部に差し込まれた状態でヒンジピンが軸孔を挿通可能で、当該差し込まれたヒンジピンと嵌合するように、操作手段用孔部の側壁側から他方の側壁側にかけて当該ヒンジピンを回り込む形状に凹ませた凹部が設けられている。
これにより、基端部にヒンジピンを通す軸孔を設けた場合に比べ、基端部の高さを抑えることができ、よって、カムの高さも抑えることができる。
具体的には、基端部にヒンジピンを通す軸孔を設けた場合は、当該軸孔を形成するために、当該軸孔の周囲を囲うようにするために、基端部をある程度の高さを備えた構成とする必要が生じる。そのため、特に、操作手段とカムとを別パーツにした場合には、両者が一体成形された場合に比べ、操作手段の基端部を収納するために、カムに一定の高さが要求されることになる。
したがって、綴じ具に書類を閉じる際や、綴じ具に綴じられた書類などをめくる際に、操作手段やカムが邪魔になるという不具合が生じやすくなる。
しかし、本願発明の構成のように、基端部に軸孔を設けてヒンジピンを通すのではなく、軸孔の代わりに凹部を備えることにより、基端部の高さを抑えることだけでなく、カムの高さも抑えることができるようになる。
したがって、綴じ具に書類を閉じる際や、綴じ具に綴じられた書類などをめくる際に、操作手段やカムが邪魔になることを防止することができる。
【００１１】
第一の綴じ具の凹部は、ヒンジピンの長さ方向に沿って設けられ、当該ヒンジピンの形状に合わせた略半円形状に構成されることが望ましい。
これにより、操作手段の基端部が収納されたカムにヒンジピンを挿入しやすくすることができる。
【００１２】
第一の綴じ具の、第１綴じ部材及び第２綴じ部材の先端部が互いに当接した閉塞状態において、凹部が設けられない側が第１の連結部材及び第２の連結部材に近くなるように操作手段の基端部がカムに取り付けられていることが望ましい。
これにより、連結部材を押し下げた閉塞状態が最も付勢手段の付勢力が強くなり、特に操作手段を金属で作成し、カムを樹脂で作成した場合などは、カムの連結部材と当接する側を補強することができる。
また、特に閉塞状態で連結部材側に厚みのある凹部が設けられていない側が来ることで、綴じ具の上方に露出する量を少なくすることができる。したがって、綴じ具に書類を閉じる際や、綴じ具に綴じられた書類などをめくる際に、操作手段やカムが邪魔になることを防止することができ、また、綴じ部材を小さくすることができる。
【００１３】
本願発明は、表紙体に対して固定された半リング状の第１綴じ部材と、表紙体に対して基端部の位置が一定でかつ回動可能であり、先端部が第１綴じ部材と当接可能な半リング状の第２綴じ部材と、第２綴じ部材と連結する第２連結部材と、第２連結部材に対して表紙体とは反対側に設けられたカムと、カムの回動軸を表紙体における所定位置に規制する軸受けと、基端部がカムに接続される操作手段と、を備えた第二の綴じ具である。
【００１４】
第二の綴じ具のカムは、所定角度に形成されたカム面と、当該カムの側面を貫通して他方の側面に通じるヒンジピンを通す軸孔と、軸孔の延在方向と略直角の一方向に向けられ、操作手段の基端部が挿抜可能な操作手段用孔部と、を備える。
【００１５】
第二の綴じ具のヒンジピンは、軸受けに嵌合される。
第二の綴じ具の操作手段には、当該操作手段の基端部が操作手段用孔部に差し込まれた状態でヒンジピンが軸孔を挿通可能で、当該差し込まれたヒンジピンと嵌合するように、操作手段用孔部の側壁側から他方の側壁側にかけて当該ヒンジピンを回り込む形状に凹ませた凹部が設けられている。
これにより、いわゆる片開きの綴じ具であっても、基端部にヒンジピンを通す軸孔を設けた場合に比べ、基端部の高さを抑えることができ、よって、カムの高さも抑えることができる。
具体的には、基端部にヒンジピンを通す軸孔を設けた場合は、当該軸孔を形成するために、当該軸孔の周囲を囲うようにするために、基端部をある程度の高さを備えた構成とする必要が生じる。そのため、特に、操作手段とカムとを別パーツにした場合には、両者が一体成形された場合に比べ、操作手段の基端部を収納するために、カムに一定の高さが要求されることになる。
したがって、綴じ具に書類を閉じる際や、綴じ具に綴じられた書類などをめくる際に、操作手段やカムが邪魔になるという不具合が生じやすくなる。
しかし、本願発明の構成のように、基端部に軸孔を設けてヒンジピンを通すのではなく、軸孔の代わりに凹部を備えることにより、基端部の高さを抑えることだけでなく、カムの高さも抑えることができるようになる。
したがって、綴じ具に書類を閉じる際や、綴じ具に綴じられた書類などをめくる際に、操作手段やカムが邪魔になることを防止することができる。
【発明の効果】
【００１６】
本願各発明は、以上のように構成されているので、以下に記載されるような効果を奏する。
すなわち、回動部材との連結部材に軸が貫通する孔を設けた場合に比べ、軸受け部分をより薄型にすることができる。
【図面の簡単な説明】
【００１７】
【図１】綴じ具をファイルに取り付けた状態を示す斜視図である。図１に、本願における方向（Ｘ方向、Ｙ方向、Ｚ方向）を規定した矢印を記す。
【図２】綴じ具の閉塞状態を示す斜視図である。
【図３】綴じ具の分解斜視図である。
【図４】綴じ具の閉塞状態の平面図である。
【図５】綴じ具の底面図である。
【図６】図４のＡ−Ａ線に沿う断面図である。
【図７】図４のＢ−Ｂ線に沿う断面図である。
【図８】綴じ具の開放状態を示す斜視図である。
【図９】図８に対応し、綴じ具の開放状態の断面図である。
【図１０】ハウジングの平面図である。
【図１１】図１０のＣ−Ｃ線に沿う断面図である。
【図１２】図１０のＤ−Ｄ線に沿う断面図である。
【図１３】図１０のＥ−Ｅ線に沿う断面図である。
【図１４】図１２のＦ−Ｆ線に沿う断面図である。
【図１５】図１３の状態に、連結部材を組み付けた場合のハウジングの状態を示す断面図である。
【図１６】第１連結部材の平面図である。
【図１７】図１６のＧ−Ｇ線に沿う断面図である。
【図１８】図１６のＨ−Ｈ線に沿う断面図である。
【図１９】図１６のＩ−Ｉ線に沿う断面図である。
【図２０】盛上部の部分を図１６の左側から見た側面図である。
【図２１】第２連結部材の平面図である。
【図２２】図２１のＪ−Ｊ線に沿う断面図である。
【図２３】図２１のＪ−Ｋ線に沿う断面図である。
【図２４】付勢手段の斜視図である。
【図２５】付勢手段の平面図である。
【図２６】付勢手段の側面図である。
【図２７】閉塞装置の斜視図である。
【図２８】操作レバーの側面図である。
【図２９】操作レバーの平面図である。
【図３０】カムの側面図である。
【図３１】閉塞装置を設置する状態を示す断面図である。
【図３２】図３１の状態から閉塞装置を設置した後の断面図である。
【図３３】開放状態におけるカムと盛上部との接触状態を示す説明図である。
【図３４】閉塞状態におけるカムと盛上部との接触状態を示す説明図である。
【発明を実施するための形態】
【００１８】
本発明の実施例を、図面を用いて以下に説明する。
この実施例に係るファイル10は、図１に示すように、大別すると、次のパーツを備える。
（１）表紙体100
（２）綴じ具200
【００１９】
（表紙体100）
表紙体100は、図１に示すように、例えば、裏表紙101と、裏表紙101の側縁に連なる背表紙102と、背表紙102の側縁に連なる表表紙103とから構成され、１枚の板状部材から形成されるものである。
なお、１枚の板状部材から形成される場合に限定されず、裏表紙101、背表紙102、表表紙103をそれぞれ別の板状部材で構成し、それぞれを接着して表紙体100を形成するようにしても良い。
【００２０】
（綴じ具200）
綴じ具200は、書類などを綴じるものであり、図１に示すように、背表紙102の長手方向に延びるとともに、背表紙102の内側に、例えば、リベットRを介して取り付けられる。
なお、本実施の形態では、綴じ具200は、背表紙102に取り付けられるが、背表紙102に限定されず、裏表紙101や、表表紙103に取り付けられても良い。
【００２１】
綴じ具200は、図２及び図３に示すように、次の各部を備える。
（１）ハウジング210
（２）綴じ部材220,221
（３）連結部材230,231
（４）付勢手段240
（５）閉塞装置250
【００２２】
（ハウジング210）
ハウジング210は、例えば鋼材や樹脂素材から構成され、綴じ具200が背表紙102に取り付けられる際に、当該背表紙102の長手方向に延びるように形成されるものである。
【００２３】
ハウジング210は、図１０及び図１１に示すように、次の各部を備える。
（１）開放部211
開放部211は、図１２〜１４に示すように、背表紙102と対向するハウジング210の下面側を開口して設けられ、ハウジング210を短手方向（左右方向；Ｙ方向）の中央部を最大高さ（Ｚ方向）とするように湾曲形状とすることにより形成される。
これにより、ハウジング210に開放部211を備えず、ハウジング210を円筒形状に構成した場合に比べ、材料を節約することができ、又、ハウジング210の下面側が開放されているため、ハウジング210に閉塞装置250や連結部材230,231を組み付ける作業を簡単にすることができる。
【００２４】
（２）係合片212
係合片212は、図１２〜図１４に示すように、開放部211の側縁を切り込み、当該切り込まれた部分を係合孔213がハウジング210の外縁よりも相対的に内側（略Ｙ方向）となるように折り曲げ、先端部を外側（略−Ｚ方向）に折り曲げた断面く字状に形成されたものである。
なお、係合片212は、連結部材230,231をハウジング210内に組み付ける際に、図１４に示す状態から図１５に示す状態に、内側（略Ｙ字方向）に折り曲げられる。
【００２５】
係合片212は、図１１に示すように、例えばハウジング210の長手方向に２個設けられる。
【００２６】
また、係合片212には、図１３に示すように、係合突起232が挿入される係合孔213を備える。
係合孔213は、連結部材固定部の一例であって、複数個、例えばハウジング210の長手方向（Ｘ方向）に２個設けられ、例えば四角形状に構成される。
これにより、連結部材230,231をハウジング210に組み付ける際に、連結部材230,231の係合突起232を係合孔213に係合させるだけで、連結部材230,231の組み付けの位置決めをすることができる。
また、係合突起232を係合孔213に係合することにより、各連結部材230,231の綴じ具200の長手方向への移動を、ハウジング210に設けられた切り欠き部216に綴じ部材220,221を引っ掛けることに頼らずに規制することができる。これにより、ハウジング210の形状の自由度を高くすることができ、又、ハウジング210の大きさを大幅に小さくすることができる。
また、係合突起232を係合孔213に係合させることにより、ハウジング210に設けられた切り欠き部216に綴じ部材220,221を引っ掛ける場合よりも、ファイル10を落下させた場合などの衝撃に強くすることができる。
【００２７】
なお、係合孔213ではなく、係合突起232が挿入される切り欠きであっても良いが、孔形状とすることで、ハウジング210を薄板の金属板により形成した場合であっても係合片212の強度を保つことができるという利点がある。
【００２８】
また、係合孔213は、係合突起232と係合することにより、連結部材230,231を回動させるヒンジとしての機能を有する。
【００２９】
（３）折り曲げ片214
折り曲げ片214は、図１１及び図１２に示すように、ハウジング210の開放部211の両側縁を内側に折り曲げたものである。
これにより、付勢手段240を保持することができるようにするとともに、ハウジング210の強度を高めることができる。
【００３０】
（４）フック部215
フック部215は、付勢手段取付部の一例であって、図５及び図１１に示すように、折り曲げ片214の一側縁に、例えばハウジングの内側に起立した形状に設けられ、付勢手段240を引っ掛けるものである。
なお、折り曲げ片214の一側縁に設けられる場合に限定されず、両側縁に設けられても良い。
これにより、付勢手段240を簡単に組み付けることができる。また、付勢手段240を外れにくくすることができる。
【００３１】
（５）切り欠き部216
切り欠き部216は、図２及び図３に示すように、ハウジング210の側縁を切り欠いて設けられ、綴じ部材220,221を通すためのものである。
切り欠き部216は、連結部材230,231をハウジング210に組み付ける際には、連結部材230,231の組み付けの位置決めを補助する。連結部材230,231がハウジング210に組み付けられた後も当該綴じ部材220,221がぐらつくことがないように相対位置決めを補助している。
なお、切り欠き部216の切り欠き幅は、綴じ部材220,221と当接する幅とすることが望ましい。これにより、連結部材230,231側とハウジング210との当接箇所が多くなり、例えば綴じ具200の落下時など多大な力が連結部材230,231にかかった際、ハウジング210に係合孔213、切り欠き部216を通してその力が分散して伝わるため、綴じ具200の耐久性を極めて高くすることができる。
【００３２】
なお、切り欠き部216は、ハウジング210の側縁を切り欠いて設けられる場合に限定されず、孔であっても良い。孔とした場合は、ハウジング210の強度を高めるという利点はある。一方、本実施例のように切り欠き形状にした場合には、組み付け時に綴じ部材220,221を通しやすいという利点がある。
【００３３】
（６）固定部217
固定部217は、図２及び図３に示すように、ハウジング210の長手方向（Ｘ方向）の端部に設けられ、背表紙102と接触するように平面形状に構成されている。
また、固定部217には、図２及び図３に示すように、綴じ具200を背表紙102に取り付けるためのリベットR用の孔217aが設けられている。
【００３４】
（７）閉塞装置設置口218
閉塞装置設置口218は、図８及び図１１に示すように、ハウジング210の略中央に設けられ閉塞装置250が設置されるものである。  
閉塞装置設置口218には、側板218aと軸孔218bと軸孔カバー部218cとを備えている。
【００３５】
側板218aは、第１部分の一例であって、図４における左右一対で、両側板218bの自由端部が、互いに突き合って構成され、図２及び図１０に示すように、ハウジング210の略中央を長手方向（Ｘ方向）に切り込み、当該切り込んだ部分をハウジング210の上方(Ｚ方向)に互いに対向するようにそれぞれ折り曲げたものである。閉塞装置250は、図２に示すように当該側板218aに挟まれるように備えられる。
側板218aの長手方向（Ｘ方向）の略中央には、図２及び図１２に示すように、側板218aの基端側のハウジング210を側板218aと直交する向きである左右方向に切り抜き、当該切り抜いたハウジング210の一部を下方（−Ｚ方向）に折り曲げた第２部分の一例である側板片部218dを備え、当該側板片部218dに、穴部の一例である軸孔218ｂを備えている。
これにより、軸孔218bをハウジング210の表面近傍、若しくはハウジング210の内側にすることができ、綴じ具200をより薄型にすることができる。
【００３６】
また、側板片部218dは、弾性を有し、当該弾性を利用して、図３１及び図３２に示すように、閉塞装置250をハウジング210に設置する際にカム252の回転軸の一例であるヒンジピンPにより自由端部を互いに隔離するように左右方向に撓ませられ、ヒンジピンPが通過した後は、復元し、ヒンジピンPが下方（−Ｚ方向）に抜けないようにしている。
【００３７】
軸孔218bは、カム252の回動軸を表紙体100における所定位置に規制する軸受けとして機能し、図２及び図１１に示すように、側板218aの側板片部218dにそれぞれ設けられ、閉塞装置250のヒンジピンPを通すものである。
また、軸孔218bは、軸孔カバー部218cを折り曲げることで形成される。
これにより、軸孔218bと軸孔カバー部218cとを効率的に形成することができる。
なお、軸孔218bは、貫通孔の他、貫通していない行き止まりの穴であってもよい。
【００３８】
軸孔カバー部218cは、第三部分の一例であって、図２及び図３２に示すように、軸孔218bに通されたヒンジピンPの先端を側板218aの閉塞装置250とは逆側（閉塞装置設置口218の外側）から覆うものである。
軸孔カバー部218cは、軸孔218bを形成する際に切り開かれた側板片部218dの一部を当該側板片部218dと同方向に折り曲げることにより形成される。
これにより、軸孔カバー部218cを別パーツにした場合に比べ、組立を容易にすることができる。
具体的には、軸孔218bの図１１における左右両側と下側とを切り込み、上側をヒンジとして切り抜かれた側板の一部を上側に持ち上げ、先端側を下側に折り曲げることで当該先端側の内側をヒンジピンPの先端に接触させるようにしている。
これにより、ヒンジピンPを軸孔218bに挿入した後に、かしめ等によってヒンジピンPを抜け止め加工をすることなく、ヒンジピンPが抜けることを防止して、閉塞装置250を保持することができる。
すなわち、かしめ等によってヒンジピンPの抜け止め加工をしない場合には、書類等を綴じた場合に力のかかるヒンジピンP部分に過度な負荷がかかりヒンジピンPが抜けてしまう可能性があるという問題点や、又、かしめる際に工具等を用いる必要があり組立に手間がかかるという問題点を解消することができる。
また、下側を切り込むことで、ヒンジピンPを挿入する際に、閉塞装置250をハウジング210の開放部211から組み付けることができ、作業を簡単にすることができる。
なお、本実施の形態では上側をヒンジとしたが、左側をヒンジとする場合や、右側をヒンジとしても良い。
【００３９】
（８）溝部219
溝部219は、図２及び図６に示すように、ハウジング210の略中央を長手方向（Ｘ方向）にわたって下方（−Ｚ方向）に凹ませたものである。
溝部219は、図２及び図６に示すように、主として閉塞状態において閉塞装置250を構成する操作レバー251を収容し、ハウジング210の上面から操作レバー251がはみ出ることを最小限にしている。
これにより、綴じ具200に書類を綴じる際や、綴じ具200に綴じられた書類をめくる際に、操作レバー251が邪魔になることを防止することができる。
【００４０】
（綴じ部材220,221）
綴じ部材220,221は、図２及び図３に示すように、ハウジング210に回動可能に支持された複数の第１綴じ部材220とハウジング210に回動可能に支持されるとともに、第１綴じ部材220と先端部同士を接近することにより閉塞状態を形成するとともに、先端部同士を離すことにより開放状態を形成する複数の第２綴じ部材221とから構成される。
綴じ部材220,221は、連結部材230,231を回動させることにより、開放状態と閉塞状態とに回動される。
なお、綴じ部材220,221は、複数の場合に限定されず、単数であっても良い。
【００４１】
第１綴じ部材220と第２綴じ部材221とは、図７に示すように、それぞれ半円弧状をなし、先端部同士を接触することでリング状をなすように構成されている。
なお、第１綴じ部材と第２綴じ部材は、半円弧状に限定されず、閉塞状態で連続していれば足り、例えばＤ形状にすることもできる。
【００４２】
第１綴じ部材220と第２綴じ部材221とは、図３に示すように、基端部側を連結部材230,231の上面にそれぞれかしめ加工などにより固着される。
【００４３】
第１綴じ部材220と第２綴じ部材221との先端部側は、ハウジング210の切り欠き部216を通してハウジング210の外に延出され、綴じ具200の取付面たる背表紙102の内向面より略垂直に（略Ｚ方向に）立ち上がるように構成されている。
【００４４】
第１綴じ部材220と第２綴じ部材221の何れか一方、例えば第１綴じ部材220の先端は、図９に示すように、凸状に形成され、他方、例えば第２綴じ部材221の先端は、図９に示すように、凹状に形成される。
これにより、閉塞状態において第１綴じ部材220の先端が第２綴じ部材221の先端に入り込み、先端部同士に段差を無くし、綴じ具200に綴じられた書類などをめくる際に、引っ掛かることを防止することができる。
なお、綴じ部材の先端をＳ字状にすれば、第１綴じ部材と第２綴じ部材を共通化するもできる。
【００４５】
（連結部材230,231）
第１、第２連結部材230,231は、綴じ部材220,221が連結（接続）され、両者が当接する位置がＺ方向に移動することで（当該当接する位置と対の側がハウジング210に対して回動することで）綴じ部材220,221をハウジング210に対して回動させ、開放状態から閉塞状態への移動を実現させる。
また、図１６及び図２１に示すように、矩形状のＸ方向に細長い形状に構成されている。両部材は、図５に示すように、Ｘ方向の一辺が当接している（開放部211の長手方向（Ｘ方向）に沿って平行に設置される。）。
なお、連結部材230,231は、矩形状のＸ方向に細長い形状に構成される場合に限定されず、例えば、棒状の部材で構成して、綴じ部材220,221を連結してもよい。
【００４６】
第１連結部材230と第２連結部材231とは、図１６及び図２１に示すように、次の各部を備える。
（１）係合突起232
係合突起232は、図１６及び図２１に示すように、第１連結部材230と第２連結部材231との一縁側（ハウジング210と当接する側）の係合孔213に対応する位置に、例えば係合孔213と同数の２個設けられ、第１連結部材230及び第２連結部材231の長手方向（Ｘ方向）に直交する向き（Ｙ方向）に突出し、係合孔213に係合されるものである。
これにより、第１連結部材230と第２連結部材231をハウジング210に組み付ける際に、第１連結部材230と第２連結部材231の係合突起232を係合孔213に係合させるだけで、第１連結部材230と第２連結部材231の組み付けの位置決めをすることができる。
【００４７】
また、係合突起232は、係合孔213と係合することにより、第１連結部材230と第２連結部材231を回動させるヒンジとしての機能を有する。
【００４８】
（２）接続片233
接続片233は、図１６及び図２１に示すように、第１連結部材230と第２連結部材231との係合突起232の他縁側に複数個、例えば４個設けられ、第１連結部材230と第２連結部材231の一方が他方と結合するためのものである。
具体的には、図１６に示すように、第１連結部材230の上下方向（Ｘ方向）両端部に２個ずつ設けられ、図１８及び図１９に示すように、一方は、第１連結部材230の上面の上側（＋Ｚ方向）に向けて形成され、他方は、上面の下側（−Ｚ方向）に向けて形成される。
【００４９】
また、図２１に示すように、第２連結部材231にも接合片233が上下方向（Ｘ方向）両端部に２個ずつ設けられている。図２２及び図２３に示すように、一方は、第１連結部材230の接続片233とは逆方向（第２連結部材231との上面の下側（−Ｚ方向））に向けて形成され、他方は、第１連結部材230の接続片233とは逆方向（上面の上側（Ｚ方向））に向けて形成される。
これにより、第１連結部材230と第２連結部材231との対応する接続片233同士が第１連結部材230と第２連結部材231の上側と下側とから結合して、第１連結部材230と第２連結部材231との結合力を高めることができるとともに、一方の連結部材230,231が回動すると他方の連結部材230,231も連動して回動させることができる。
【００５０】
また、第１連結部材230と第２連結部材231との少なくとも一方、例えば第１連結部材230には、図３及び図１６に示すように、他に、次の各部を備える。
（３）盛上部234
盛上部234は、図３及び図１６に示すように、第１連結部材230と第２連結部材231との少なくとも一方、例えば第１連結部材230の長手方向（Ｘ方向）の略中央部の上面側（Ｚ方向）に設けられ、図６及び図２０に示すように、第１連結部材230と第２連結部材231との少なくとも一方、例えば第１連結部材230を断面く字状に折り曲げることにより形成される。
【００５１】
また、盛上部234は、綴じ具200の閉塞状態において、閉塞装置250により押し下げられ（−Ｚ方向に相対移動させられる）、各綴じ部材220,221の先端部同士が当接した閉塞状態におけるカム252の回動を防止するためのものである。
具体的には、図６及び図７に示すように、綴じ具200が閉塞状態の場合は、閉塞装置250のカム252が盛上部234に接触して押し下げ、第１連結部材230と、第１連結部材230に接続片233により結合した第２連結部材231とを回動させて、第１綴じ部材220と第２綴じ部材221の閉塞状態を保持する。
【００５２】
盛上部234は、閉塞状態で、少なくとも、カム252と当該カム252の回動軸と略平行な直線上で接触するように構成され、図１７に示すように、第２連結部材231と接続される綴じ具200の内側の方が高く、綴じ具の外側の方が低くなるように、傾斜面234aを備え、当該傾斜面が閉塞状態の前記カムと当接する。
具体的には、開放状態では、図３３に示すような点接触であり、閉塞装置250を操作することによって前記第１連結部材と前記第２連結部材とが回動し、閉塞状態では、図３４に示すように面接触となるように形成される。
これにより、閉塞状態では、図７に示すように、第１連結部材230と第２連結部材231とが接続される綴じ具200の内側が低くなる断面Ｖ字形状になるため、閉塞状態で傾斜面234aが閉塞装置250を構成するカム252のカム面と背表紙102に対し水平な平行状態になり、傾斜面234aとカム面との接触領域を最大にすることができ、カム252を安定的に保持することができるようになり、付勢手段240の付勢力がもっとも強くなる閉塞状態を保持しやすくすることができる。
また、カム252のカム面と盛上部234とが、１点で接触する場合に生じやすい、カム252と盛上部234とのいずれか又は両方が摩耗しやすくなる、という問題点を解消することもできる。
【００５３】
（付勢手段240）
付勢手段240は、図３及び図５に示すように、ハウジング210の長手方向の略中央の開放部211に配置され、図９に示すように、第１綴じ部材220及び第２綴じ部材221とを常時開放状態にすべく、両連結部材の当接部をハウジング210側（Ｚ方向）に付勢するものである。
例えば、付勢手段240は、全体が一本の鋼製の線材を、図２４〜図２６に示すように折り曲げたものである。
【００５４】
具体的には、図２５に示すように、１本の鋼製の線材を略Ｍ字状に折り曲げ、一側端部を第１部241、他側端部を第２部242、第１部241から連続する幅方向を第３部243、第２部242から連続する幅方向を第４部244、第３部243と第４部244とから連続する幅方向中央部を第５部245として形成されている。そして、第５部245は、第３部243と第４部244とから図２６に示すように所定の傾斜（例えば約３０度）を有するように折り曲げて形成され、線材に弾性力を付している。
【００５５】
また、第３部243と第４部244とは、第４部244の方をより長くさせるように折り曲げられている。
これにより、図５に示すように、下面側に隙間を有する盛上部234を、長手方向の上側と下側とから挟んで裏側から支えるようにするため、効率的に連結部材230,231に付勢することができる。
なお、付勢手段240は、線材を折り曲げたものに限定されず、板ばねやコイルばねなどであっても良い。
【００５６】
付勢手段240は、図５及び図７に示すように、第３部243と第４部244とを、折り曲げ片214と連結部材230,231のうち盛上部234が設けられた一方例えば第１連結部材230との間に差し込み、その後、第１部241と第２部242とを相互に略平行となるように戻した後に、図５に示すように、第１部241と第２部242との端部をフック部215に引っ掛けることで、ハウジング210に組み付けられる。
【００５７】
（閉塞装置250）
閉塞装置250は、閉塞装置設置口218内に設置され、付勢手段240に抗し、第１連結部材230及び第２連結部材231を回動させて、第１綴じ部材220と第２綴じ部材221とを閉塞状態に保持するものである。
【００５８】
閉塞装置250は、本実施の形態では、図３及び図２７に示すように、回動部材との連結部材及び操作手段の一例である操作レバー251と、回動部材の一例であるカム252とから構成される。
操作レバー251とカム252とを別パーツとすることにより、操作レバー251とカム252とを一体成形する必要がなくなり、又、それぞれ異なる素材により成形することができるという利点がある。すなわち、操作レバー251は、綴じ具200に綴じられる書類の重さに耐えられるようにするためなどから金属製の素材により形成されるが、金属製の操作レバー251にヒンジピンPを通す細い孔をあける加工が困難であり、加工の容易なカム252を用いることで、閉塞装置250の製造が容易になる。
【００５９】
操作レバー251は、図３及び図２７〜図２９に示すように、綴じ部材220,221を開閉する金属製の棒状のものであり、ハウジング210に接続される基端部251aと、操作レバー251の先端側を起立させて設けた逆Ｌ字状の操作端部251bとからなる。
なお、操作手段は、金属製の棒状の操作レバー251に限定されず、カム252を回転可能な形状を有するものであればよく、例えば、シーソー状の揺動レバーであってもよい。
【００６０】
基端部251aには、図３、図２８及び図２９に示すように、当該基端部251aが操作手段用孔部252bに差し込まれた状態でヒンジピンPが軸孔252cを挿通可能で、当該差し込まれたヒンジピンPと嵌合するように、操作手段用孔部252bの側壁側から他方の側壁側にかけて当該ヒンジピンPを回り込む形状に凹ませた凹部251cが設けられている。
これにより、基端部251aにヒンジピンPを通す軸孔を設けた場合に比べ、基端部251aの高さを抑えることができ、よって、カム252の高さも抑えることができる。
具体的には、基端部251aにヒンジピンPを通す軸孔を設けた場合は、当該軸孔を形成するために、当該軸孔の周囲を囲うようにするために、基端部251aをある程度の高さを備えた構成とする必要が生じる。そのため、特に、操作レバー251とカム252とを別パーツにした場合には、両者が一体成形された場合に比べ、操作レバー251の基端部251aを収納するために、カム252に一定の高さが要求されることになる。
したがって、綴じ具200に書類を閉じる際や、綴じ具200に綴じられた書類などをめくる際に、閉塞装置250が邪魔になるという不具合が生じやすくなる。
しかし、本願発明の構成のように、基端部251aに軸孔を設けてヒンジピンPを通すのではなく、軸孔の代わりに凹部251cを備えることにより、基端部251aの高さを抑えることだけでなく、カム252の高さも抑えることができるようになる。
したがって、綴じ具200に書類を閉じる際や、綴じ具200に綴じられた書類などをめくる際に、閉塞装置250が邪魔になることを防止することができる。
また、基端部251aは、図６に示すように、閉塞状態において、凹部251cが設けられない側が第１の連結部材230及び第２の連結部材231に近くなるように基端部251aがカム252に取り付けられている。
これにより、連結部材を押し下げた閉塞状態が最も付勢手段の付勢力が強くなり、特に操作手段を金属で作成し、カムを樹脂で作成した場合などは、カムの連結部材と当接する側を補強することができる。
また、特に閉塞状態で連結部材側に厚みのある凹部が設けられていない側が来ることで、綴じ具の上方に露出する量を少なくすることができる。したがって、綴じ具に書類を閉じる際や、綴じ具に綴じられた書類などをめくる際に、操作手段やカムが邪魔になることを防止することができ、また、綴じ部材を小さくすることができる。
【００６１】
凹部251cは、図３、図２８及び図２９に示すように、ヒンジピンPの全長（長さ方向）に沿って設けられ、ヒンジピンPの形状に合わせた略半円形状に構成される。
なお、凹部251cは略半円形状に限定されず、ヒンジピンPの形状に合わせたものであれば良い。
【００６２】
カム252は、図３及び図２７に示すように操作レバー251の基端部251aに設けられ、図３０に示すように、操作レバー251の操作量に応じて、第１連結部材及び第２連結部材の少なくとも一方を回動させて綴じ部材220,221の開閉度を調整するものであり、所定角度に形成されたカム面252aと、カム252の側面を貫通して他方の側面に通じる円筒形状のヒンジピンPを通す軸孔252cと、連結用孔部の一例であり、軸孔252cの延在方向と略直角の一方向に向けられ、操作レバー251の基端部251aが挿抜可能な操作手段用孔部252bとが設けられている。
これにより、カム252が操作レバー251の操作量に応じて閉塞装置設置口218に接続されたヒンジピンPを中心に回転し、カム面が盛上部234に当たり連結部材230,231を押し下げ、綴じ部材220,221を閉塞状態にすることができる。
【００６３】
（製造工程）
つぎに、図を用いて、綴じ具200の製造工程について説明する。
まず、操作レバー251の基端部251aをカム252の操作手段用孔部252bに差し込み、ヒンジピンPを軸孔252cに通し、図２７に示すように閉塞装置250を組み立てる。
【００６４】
その後、組み立てられた閉塞装置250をハウジング210の開放部211から閉塞装置設置口218内に設置する。
具体的には、操作レバー251の操作端部251bを閉塞装置設置口218に挿入した後、図３１に示すように、側板片部218dにヒンジピンPの先端を当てて位置決めをする。その後、図３１に示すように、カム252を、側板片部218dを左右方向に撓ませながら上方に移動させる。ヒンジピンPが通過した後は、図３２に示すように、側板片部218dが復元し、閉塞装置250が設置される。
【００６５】
つぎに、各連結部材230,231をハウジング210の開放部211からハウジング210内に配置し、各綴じ部材220,221をハウジング210の切り欠き部216に通し、各連結部材230,231をハウジング210に仮設置する。
その後、係合片212を図１４に示す状態から図１５に示す状態に折り曲げ、係合孔213と係合突起232とを係合させて、各連結部材230,231をハウジング210に組み付ける。
【００６６】
つぎに、連結部材230,231の下側から付勢手段240を組み付ける。
具体的には、図５及び図７に示すように、付勢手段240の第３部243と第４部244とを、折り曲げ片214と第１連結部材230との間に差し込み、その後、第１部241と第２部242とを相互に略平行となるように変形させた後に、図５に示すように、第１部241と第２部242との端部をフック部215に引っ掛けることで、ハウジング210に組み付けられる。
【００６７】
このように、本実施の形態によれば、各部材をハウジング210の開放部211から順次組み付けるだけで良いようにすることができる。
【００６８】
（動作）
つぎに、図を用いて、綴じ具200の動作について説明する。
まず、図８及び図９に示す開放状態では、付勢手段240が、第１連結部材230と、当該第１連結部材230と接続片233で結合された第２連結部材231とを断面逆Ｖ字形状に付勢している。
その後、操作レバー251を操作して、カム252のカム面252aが図６に示すように盛上部234を押し下げることにより、係合片212と係合孔213とをヒンジとして、第１連結部材と、当該第１連結部材230と接続片233で結合された第２連結部材231とが回動する。
操作レバー251を図６の状態まで操作すると、綴じ部材220,221の先端部分同士が接触し、閉塞状態になる。また、カム面252aが切り替わり、付勢手段240に抗し、当該閉塞状態を保持する。
【００６９】
綴じ具200を開放状態にする場合は、上述の操作の逆をする。すなわち、図６の状態の操作レバー251を操作すると、カム面252aが切り替わり、付勢手段240により第１連結部材230と第２連結部材とが断面逆Ｖ字状に付勢される。
【００７０】
上記実施形態には、少なくとも下記技術思想が流れている。
本実施の形態に係る綴じ具200は、表紙体100に取り付けられるハウジング210と、ハウジング210に回動可能に支持された第１綴じ部材220と、ハウジング210に回動可能に支持されるとともに、第１綴じ部材220と先端部同士を接近することにより閉塞状態を形成するとともに、先端部同士を離すことにより開放状態を形成する第２綴じ部材221とを備える。
【００７１】
綴じ具200には、第１綴じ部材220を連結する第１連結部材230と、第２綴じ部材221を連結する第２連結部材231と、第１連結部材230と第２連結部材231とを回転させて、第１綴じ部材220と第２綴じ部材221とを閉塞状態に保持する閉塞装置250とを備える。
【００７２】
閉塞装置250は、ヒンジピンPによりハウジング210に設置されると共に、少なくとも操作手段251と当該操作手段251の操作量に応じて第１連結部材230と第２連結部材231との回転量を調整するカム252とから構成される。
このように構成すると、操作手段251とカム252とを別パーツにすることができ、操作手段251とカム252とを一体成形する必要がなくなり、又、それぞれ異なる素材により成形することができるという利点がある。
【００７３】
操作手段251は、少なくともハウジングに接続される基端部251aを備える。
カム252は、操作手段251の基端部251aに設けられると共に、所定角度に形成されたカム面252aと、操作手段251の基端部251aが差し込まれる操作手段用孔部252bと、当該カム252の側面に、操作手段用孔部252bを通過して逆側に通じ、当該カム252を固定して閉塞装置250を回転させるヒンジピンPを通す軸孔252cとを備える。
【００７４】
操作手段251の基端部251aには、カム252から操作手段251が抜け出ることを防止し、又、閉塞装置250の回転軸となるヒンジピンPがはまり込む凹部251cが設けられている。
これにより、基端部251aにヒンジピンPを通す軸孔252cを設けた場合に比べ、基端部251aの高さを抑えることができ、よって、カム252の高さも抑えることができる。
具体的には、基端部251aにヒンジピンPを通す軸孔252cを設けた場合は、当該軸孔252cを形成するために、当該軸孔252cの周囲を囲うようにするために、基端部251aをある程度の高さを備えた構成とする必要が生じる。そのため、特に、操作手段251とカム252とを別パーツにした場合には、両者が一体成形された場合に比べ、操作手段251の基端部251aを収納するために、カム252に一定の高さが要求されることになる。
したがって、綴じ具200に書類を綴じる際や、綴じ具200に綴じられた書類などをめくる際に、閉塞装置250が邪魔になるという不具合が生じやすくなる。
しかし、本願発明の構成のように、基端部251aに軸孔252cを設けてヒンジピンを通すのではなく、軸孔252cの代わりに凹部251cを備えることにより、基端部251aの高さを抑えることだけでなく、カム252の高さも抑えることができるようになる。
したがって、綴じ具200に書類を閉じる際や、綴じ具200に綴じられた書類などをめくる際に、閉塞装置250が邪魔になることを防止することができる。
【００７５】
凹部251cは、ヒンジピンPの長さ方向に沿って設けられ、ヒンジピンPの形状に合わせた略半円形状に構成されることが望ましい。
これにより、操作手段251の基端部251aが収納されたカム252にヒンジピンPを挿入しやすくすることができる。
【００７６】
閉塞装置250は、操作手段251の基端部251aをカム252の操作手段用孔部252bに差し込んだ後に、ヒンジピンPを軸孔218bに逆側の当該軸孔218bに通すように差し込むことで形成されることが望ましい。
これにより、閉塞装置250を組み付けやすくすることができる。
【００７７】
また、上記実施形態には、少なくとも下記技術思想も流れている。
本実施の形態に係るハウジングは、当該ハウジングの一部に折り曲げ可能に設けられた第１部分と、第１部分に連続するとともに、ハウジングの内部に位置し、当該ハウジングの一部に折り曲げ可能に設けられた第２部分と、第２部分の内側に設けられた穴部と、を備える。
【００７８】
第１部分はハウジングに対して一方向に折り曲げられ、第２部分は第１部分と異なる他方向であって、且つ第１部分と略同一平面上に位置するように折り曲げられる。
【００７９】
穴部が軸受けとされている。
【００８０】
ハウジングには、穴部を一対設け、両穴部を互いに向き合わせるように配置することで、軸受けを一対設けることが望ましい。
【００８１】
ハウジングには、第１部分を一対設け、両第１部分の一辺同士が対向するように構成されることが望ましい。
これにより、第1部分を折り曲げると、穴部間に隙間が生まれ、軸受けに設置されるカムなどを配置しやすくなる。
【００８２】
第２部分の内側に折り曲げ可能に第３部分を設け、第３部分を第２部分に対して折り曲げることで穴部を設けたことが望ましい。
【００８３】
本実施の形態に係るハウジングは、軸受けを備えたハウジングである。
ハウジングには、当該ハウジングの一部に折り曲げ可能に設けられた一対の第１部分と、第１部分に連続するとともに、ハウジングの内部に位置し、当該ハウジングの一部に折り曲げ可能に設けられた一対の第２部分と、各第２部分の内側に折り曲げ可能に設けられた第３部分と、を備える。
これにより、ヒンジピンが抜けることを防止することができる。
また、第３部分を別パーツにした場合に比べ、組立を容易にすることができる。
【００８４】
ハウジングは、一対の第１部分を、互いに対向するようにハウジングから立ち上がる方向に折り曲げ、一対の第２部分を、互いに対向するようにハウジングの内側に向かって折り曲げ、第３部分を、第２部分と同方向に折り曲げることで穴部を設け、少なくとも第２部分は、弾性を有し、当該第２部分の弾性を利用して、一対の第２部分の自由端部を互いに離隔するように広げ、当該第２部分の間隔より長い軸を穴部に受け入れ可能にされている。
これにより、軸を一方向から押し込むことで組み込みことができる。
【００８５】
本実施の形態に係る綴じ具は、半リング状の綴じ部材に連結された連結部材と、当該連結部材を一方向に常時付勢する付勢手段と、連結部材を付勢手段が設けられた側とは反対側から押さえるカムと、カムに接続された操作部とを備える。
【００８６】
綴じ具には、当該綴じ具の一部に折り曲げ可能に設けられた一対の第１部分と、第１部分に連続するとともに、綴じ具の内部に位置し、当該綴じ具の一部に折り曲げ可能に設けられた一対の第２部分と、第２部分の内側に設けられた穴部と、を備える。
【００８７】
一対の第１部分を、互いに対向するように綴じ具から一方向に折り曲げ、一対の第２部分を、互いに対向するように第１部分の反対方向に折り曲げ、当該第２部分の間隔より長いカムの回転軸が穴部に受け入れられた。
これにより、カムの回転軸を挿入する際に、ハウジングの下側から組み付けることができ、綴じ具の組立作業を簡単にすることができる。
また、カムを組み付ける際に、工具が不要となり、綴じ具の組立作業を容易にすることができる。
【００８８】
ハウジングは、一対の第２部分の内側に折り曲げ可能に設けられた第３部分を備え、第３部分を折り曲げることで穴部を設け、当該一対の穴部を軸受けとしてカムの回転軸が挿通されることが望ましい。
これにより、第３部分を作る際に、カムの回転軸が挿通される軸受けを同時に作成することができ、綴じ具の製造を簡単にすることができる。
（他の実施の形態）
【００８９】
つぎに、本発明の他の実施の形態について説明する。
本実施の形態は、第１綴じ部材220を回動不能に固定して、第２綴じ部材221のみ回動可能にしたものである。
このように構成することにより、いわゆる片開きの綴じ具であっても、基端部にヒンジピンを通す軸孔を設けた場合に比べ、基端部の高さを抑えることができ、よって、カムの高さも抑えることができる。
【００９０】
なお、本実施の形態の軸受けへの部材取付機構は、綴じ具に用いられる場合に限定されず、操作部を回動させることによりカムで押し込む事務用あなあけ器や、ステープラに用いてもよい。
すなわち、本実施の形態の軸受けへの部材取付機構は、連結部材を回動させることにより回動部材で押し込むものであれば用途は限定されず、何にでも適用できる。
【符号の説明】
【００９１】
10  ファイル
100  表紙体                101  裏表紙
102  背表紙                103  表表紙
200  綴じ具                210  ハウジング
211  開放部                212  係合片
213  係合孔                214  折り曲げ片
215  フック部              216  切り欠き部
217  固定部                217a  孔
218  閉塞装置設置口        218a  側板
218b  軸孔                 218c  軸孔カバー部
218d  側板片部             219  溝部
220,221  綴じ部材          230,231  連結部材
232  係合突起              233  接続片−
234  盛上部                234a  傾斜面
240  付勢手段              250  閉塞装置
251  操作レバー            251a  基端部
251b  操作端部             251c  凹部
252  カム
252a  カム面               252b  操作手段用孔部
252c  軸孔
R  リベット
P  ヒンジピン
【図１】
0005461291.tif 000002
【図２】
0005461291.tif 000003
【図３】
0005461291.tif 000004
【図４】
0005461291.tif 000005
【図５】
0005461291.tif 000006
【図６】
0005461291.tif 000007
【図７】
0005461291.tif 000008
【図８】
0005461291.tif 000009
【図９】
0005461291.tif 000010
【図１０】
0005461291.tif 000011
【図１１】
0005461291.tif 000012
【図１２】
0005461291.tif 000013
【図１３】
0005461291.tif 000014
【図１４】
0005461291.tif 000015
【図１５】
0005461291.tif 000016
【図１６】
0005461291.tif 000017
【図１７】
0005461291.tif 000018
【図１８】
0005461291.tif 000019
【図１９】
0005461291.tif 000020
【図２０】
0005461291.tif 000021
【図２１】
0005461291.tif 000022
【図２２】
0005461291.tif 000023
【図２３】
0005461291.tif 000024
【図２４】
0005461291.tif 000025
【図２５】
0005461291.tif 000026
【図２６】
0005461291.tif 000027
【図２７】
0005461291.tif 000028
【図２８】
0005461291.tif 000029
【図２９】
0005461291.tif 000030
【図３０】
0005461291.tif 000031
【図３１】
0005461291.tif 000032
【図３２】
0005461291.tif 000033
【図３３】
0005461291.tif 000034
【図３４】
0005461291.tif 000035